(57)【特許請求の範囲】
【請求項１】
複数の開放端を有するヒートパイプ容器内に、前記複数の開放端の少なくとも一端からヒートパイプ用の作動流体の蒸気を注入し、前記複数の開放端の他端から前記作動流体の蒸気と共に前記ヒートパイプ容器内の残存ガスを排出する第１工程と、
前記他端をカシメによって封止する第２工程と、
前記他端が封止されたヒートパイプ容器の一部又は全部を冷却し前記ヒートパイプ容器内で前記作動流体を凝縮する第３工程と、
前記凝縮された作動流体を内包するヒートパイプ容器の前記一端をカシメによって封止する第４工程と、を有し、かつ、
前記一端及び／又は他端を封止する前に、前記ヒートパイプ容器に金属接合によって接合部材を設ける工程を有する
ことを特徴とするヒートパイプの製造方法。
【請求項２】
請求項１に記載のヒートパイプの製造方法において、
前記第１工程は、
前記ヒートパイプ容器が所定の傾きに設けられるとともに、前記一端は、前記他端に対して重力方向の低位置に配置され、
前記凝縮した作動流体の一部は、前記一端から流出させて、
前記凝縮した作動流体の流出と前記作動流体の蒸気の注入との平衡状態を保った状態で前記一端を封止する工程である
ことを特徴とするヒートパイプの製造方法。
【請求項３】
請求項１又は２に記載のヒートパイプの製造方法において、前記接合部材は、冷却部材又は／及び受熱部材であることを特徴とするヒートパイプの製造方法。
【請求項４】
請求項１又は２に記載のヒートパイプの製造方法において、前記ヒートパイプ容器は、折曲部を有することを特徴とするヒートパイプの製造方法。
【請求項５】
請求項１又は２に記載のヒートパイプの製造方法において、前記複数の開放端は、３以上であることを特徴とするヒートパイプの製造方法。
【請求項６】
請求項１〜５のいずれか１項に記載のヒートパイプの製造方法を用いて製造されるヒートパイプ。
【発明の詳細な説明】
【技術分野】
【０００１】
本願発明は、ヒートパイプの製造方法及びヒートパイプに関するものである。
【背景技術】
【０００２】
ヒートパイプは、均熱用、ヒートシンク用、冷却用等、様々な用途に利用され、その利用範囲も広がっている。特に近年は、ノートパソコン等の電子機器に用いられる電子部品の冷却用途において利用が進んでいる。
【０００３】
ヒートパイプは、主に、密閉された容器と、その容器内に真空封入された少量の液体（作動流体）と、容器内壁に形成される毛細管作用を備えた液体流路とから構成される。
【０００４】
基本的な動作原理は、まずヒートパイプ（密閉容器）に設けられた受熱部が外部から熱を受け取ると、密閉容器の内部に封入された作動流体が外部からの熱により蒸発（蒸発潜熱を吸収）する。そして、その蒸気が低温部分に移行すると、低温部で蒸気が凝縮され蒸発潜熱を放出する。さらに凝縮した作動流体が、毛細管作用によって液体流路を通じ加熱部に還流されることにより、これら作用を繰り返し冷却するものである。
【０００５】
つまり、作動流体が蒸発と凝縮とを伴いながら密閉容器内を循環流動することにより、液体と気体の相変化が繰り返され、熱の吸収と放熱が行われる。また、この相変化は減圧中で行われるため、極めて速い速度で熱の交換が可能である。
【０００６】
従来のヒートパイプの製造方法として、以下の３種類が挙げられる。
【０００７】
１．沸騰方式
一端が開放された容器において、容器内部に作動流体を注入し、加熱部材により他端側から容器を加熱し容器内の作動流体を所定量蒸発させ、容器内を飽和蒸気雰囲気とすることで容器内から空気（非凝縮性ガス）を追い出し、一端側を密閉してヒートパイプを製造する方法。
【０００８】
２．真空引き方式
一端が開放された容器において、容器内部に作動流体を注入し、他端側から容器を真空引きすることで容器内の空気を排除し、一端側を密閉してヒートパイプを製造する方法。通常、真空引きする際に、容器を加熱し作動流体を蒸発させることで、空気の追い出しを促進する。
【０００９】
３．蒸気注入方式
一端が開放された容器において、容器の内底部にまで蒸気ノズルを挿入し、蒸気ノズルから蒸気状の作動流体を容器内に注入して容器内の空気を追い出し、容器の所定部を所定時間冷却することで作動流体を凝縮し、一端側を密閉してヒートパイプを製造する方法。
【００１０】
ヒートパイプには、一端側に冷却部材としてのフィンが、他端側に受熱部材として金属板などが設けられる。これらの部材（接合部材）は、例えば、上記ヒートパイプの製造方法により、ヒートパイプ容器内に作動流体を封入・密閉してヒートパイプを製造した後、ヒートパイプに対して熱伝導性接着剤やカシメにより取り付けられていた。
【００１１】
近年では、電子機器等の性能の向上により、ヒートパイプと、フィンや金属板などの接合部材との間の熱抵抗をさらに小さくすることが求められている。
【００１２】
なお、この出願の発明に関連する先行技術文献情報としては、次のものがある。
【００１３】
【特許文献１】特開２００４−６１０８０号公報
【特許文献２】特開２００６−６４３３４号公報
【発明の開示】
【発明が解決しようとする課題】
【００１４】
しかし、従来のヒートパイプの製造方法によると、以下のような問題点がある。
ヒートパイプ容器と接合部材との間の熱抵抗を低減するには金属接合が有効であるが、作動流体を封入し密閉したヒートパイプに対して金属接合を行うと、密閉されたヒートパイプ容器内の内圧上昇をまねき、ヒートパイプの変形や破損が生じる。低融点のハンダを用いることで、加熱量を抑制することも考えられるが、低融点ハンダの使用は、特殊なフラックス処理やフラックス残渣等の問題がある。
【００１５】
そこでヒートパイプ容器に接合部材を金属接合した後に、ヒートパイプ容器内に作動流体を封入、密閉することも考えられるが、従来のヒートパイプの製造方法を用いた場合、ヒートパイプ容器の形状に合わせて専用の加熱部材（加熱ブロック）を用意する必要があったり、蒸気ノズルを挿入するには、ヒートパイプ容器の形状に制限があったりした。
【００１６】
本発明の目的は、上記課題を解決するためになされたもので、簡易な方法で所望の品質を満たすヒートパイプを製造する方法、及びヒートパイプを提供することにある。
【課題を解決するための手段】
【００１７】
本発明は、上記したような課題を解決するために、複数の開放端を有するヒートパイプ容器内に、複数の開放端の少なくとも一端からヒートパイプ用の作動流体の蒸気を注入し、複数の開放端の他端から作動流体の蒸気と共にヒートパイプ容器内の残存ガスを排出する第１工程と、他端をカシメによって封止する第２工程と、他端が封止されたヒートパイプ容器の一部又は全部を冷却しヒートパイプ容器内で作動流体を凝縮する第３工程と、凝縮された作動流体を内包するヒートパイプ容器の一端をカシメによって封止する第４工程と、を有し、かつ、一端及び／又は他端を封止する前に、ヒートパイプ容器に金属接合によって接合部材を設ける工程を有するヒートパイプの製造方法を提供する。
【００１８】
上記ヒートパイプの製造方法は、第１工程は、ヒートパイプ容器が所定の傾きに設けられるとともに、一端は、他端に対して重力方向の低位置に配置され、凝縮した作動流体の一部は、一端から流出させて、凝縮した作動流体の流出と作動流体の蒸気の注入との平衡状態を保った状態で一端を封止する工程であってもよい。
【００１９】
また、接合部材は、冷却部材又は／及び受熱部材であってもよい。さらに、ヒートパイプ容器は、折曲部を有してもよく、或いは、複数の開放端は、３以上であってもよい。
【発明の効果】
【００２０】
本発明によれば、簡易な方法で所望の品質を満たすヒートパイプを製造できる。
【発明を実施するための最良の形態】
【００２１】
図１（ａ）〜（ｄ）は、本発明の第１の実施の形態に係るヒートパイプの製造方法の概念的な工程図を示す。
【００２２】
本実施の形態では、ヒートパイプ容器として、内面に微細溝が形成された銅パイプからなるヒートパイプ容器１を用い、作動流体には純水を用いた。
図１（ａ）に示す第１工程では、作動流体の蒸気２が噴出するノズル４を、両端が開放された状態のヒートパイプ容器１の一端部８に連結し、一端部８からヒートパイプ容器１内に蒸気２を供給することで、ヒートパイプ容器１内から空気（非凝縮性ガス）を追い出す。このとき蒸気２は、図示しない蒸気タンクから供給されノズル４から所定の温度・圧力で噴出する。蒸気２を高圧で供給することで、ヒートパイプ容器１内を蒸気２が高速に通過し、ヒートパイプ容器１内の空気を追い出すことができる。
【００２３】
具体的には、ヒートパイプ容器１は、胴部直径５．８ｍｍ、口部直径５．０ｍｍ、肉厚０．５ｍｍ（内面溝高さ０．２ｍｍ、薄肉部０．３ｍｍ）、長さ５００ｍｍとし、ノズル４から噴出する蒸気２は、２００℃、１５．５ＭＰａに調整した。さらに、ノズル４と一端部８との連結部に金属パッキンを用いることで、蒸気２の漏れ出しを抑制する構造とした。またヒートパイプ容器１には、予め図示しない冷却部材（フィン）や受熱部材（金属板）等を取り付けてもよい。以下では、冷却部材や受熱部材等を総称し、接合部材とする。
【００２４】
図１（ｂ）に示す第２工程では、第１工程においてヒートパイプ容器１内の空気を追い出した後、ヒートパイプ容器１の他端部９を封止する。このとき、ノズル４は、図示しない蒸気タンクから蒸気２の供給を受けた状態であるので、ヒートパイプ容器１内は、所定の飽和蒸気圧に保たれる。他端部９の封止方法の一例としては、カシメ封止がある。
【００２５】
図１（ｃ）に示す第３工程では、第２工程において他端部９を封止した後、飽和蒸気圧に保たれたヒートパイプ容器１の一部／全部を冷却することにより、ヒートパイプ容器１内の蒸気２を凝縮し、ヒートパイプ容器１内に作動流体３を溜める。図１（ｃ）では、ヒートパイプ容器１を直接冷却ブロック６で冷却する構成を用いているが、予めヒートパイプ容器１に接合部材を取り付けている場合は、接合部材を冷却することで、ヒートパイプ容器１の冷却を行っても良い。
【００２６】
ヒートパイプ容器１内に溜まる作動流体３の量は、例えばヒートパイプ容器１と冷却ブロック６との接触面積や、冷却ブロックの温度（冷却温度）、冷却時間、周囲環境等を制御することにより決定される。また、冷却ブロックの代わりに冷却風を当てても良い。接合部材を用いて冷却する場合も同様である。
【００２７】
冷却ブロックに用いられる材質の一例としてはアルミがあり、本実施の形態ではアルミ製の冷却ブロックを採用した。冷却ブロック６は図示しない冷却装置により冷却されるとよい。冷却ブロックの体積は、冷却ブロックを構成する材質の比熱や、冷却対象であるヒートパイプ容器の温度、所望の冷却度合い等により適宜決定されるとよい。
【００２８】
図１（ｄ）に示す第４工程では、第３工程においてヒートパイプ容器１内に所定量の作動流体を凝縮させヒートパイプ容器１内に溜めると共にヒートパイプ容器１内を所定の飽和蒸気圧に保った状態で、一端部８を封止する。このときノズル４への蒸気２の供給を、図示しないストップバルブ等で遮断する。一端部８の封止方法は、他端部と同様にカシメ封止とした。
【００２９】
本実施の形態に拠れば、両端が封止されていないヒートパイプ容器内を、蒸発した作動流体が通過することにより、容易にヒートパイプ容器内に残存していた空気を追い出すことができる。つまり、残存空気と作動流体の蒸気とが置換される。またノズルは、容器の一端部（開口端入口）に取り付けるだけでよく、ヒートパイプ容器内の底部にまで挿入する必要がなく、複雑な構造を有するヒートパイプであっても、容易に空気を追い出すことができる。
【００３０】
ヒートパイプ容器は銅パイプに限定する必要はなく、作動流体としては、水以外に、アンモニアや代替フロン等、潜熱が大きい材料を用いることができる。また、毛細管作用を有する液体流路として、本実施の形態では微細溝を用いて説明したが、容器内壁に金属製のメッシュを設ける構成や、繊維を設ける構成としてもよい。これらは、ヒートパイプに求められる仕様等により適宜決定されればよい。
【００３１】
次に、第２の実施の形態を説明する。図２は、第２の実施の形態における第３工程を示す図である。
第２の実施の形態は、ヒートパイプ容器１の一端部８が、ヒートパイプ容器２の他端部９に対して重力方向の低位置に配置される。ヒートパイプ容器１内に蒸気２を供給すると共に、空気（非凝縮性ガス）を排出する第１工程と、ヒートパイプ容器１の他端部９を封止し、ヒートパイプ容器１内を所定の飽和蒸気圧とする第２工程は、ヒートパイプ容器１の端部の位置関係が異なる以外は、第１の実施の形態と同様に実施される。このとき重力に対して、ノズル４からの蒸気２の噴出圧力が十分に大きいため、ヒートパイプ容器１から空気を追い出すことができる。
【００３２】
ここで第２の実施の形態における第３工程を、図２を用いて説明する。
第１の実施の形態と同様、ヒートパイプ容器１の他端部９を封止した後、ヒートパイプ容器１の一部又は全部を冷却することにより、ヒートパイプ容器１内に作動流体３を凝縮させる。本実施の形態においては、ノズル４が取り付けられた一端部８が、封止された他端部９よりも下方に位置するため、ヒートパイプ容器１内で凝縮された作動流体３は一端部８から所定の流量ずつ流出する（矢印１０）。ただし、この間もノズル４からは作動流体の蒸気２が供給され続ける（矢印２０）と共に、ヒートパイプ容器１内においても作動流体の凝縮は行われる。
【００３３】
ヒートパイプ容器１内では、蒸気２の凝縮及び流出により低下した飽和蒸気圧分だけ、ノズル２からヒートパイプ容器１内に蒸気２が供給されることになる。このとき、ヒートパイプ容器１内で凝縮され一端部８から流出する作動流体３は、ノズル４から図示しない蒸気タンクに還流する。
【００３４】
そして第３工程において、ノズル４からの蒸気２の注入（矢印２０）と、一端部８からの作動流体３の流出（矢印１０）とが平衡状態に達したら、第４工程により、一端部８を封止すると共に、ストップバルブ等でノズル４への蒸気２の供給を停止する。以上の工程により、ヒートパイプ容器１内に、所定の量の作動流体３を封入し、密閉することができる。第４工程は、ヒートパイプ容器１の端部の位置関係が異なる以外は、第１の実施の形態と同様に実施されるとよい。
【００３５】
本実施の形態において、ヒートパイプ容器１内に封入される作動流体３の量は、ヒートパイプ容器１と冷却ブロック６との接触面積、冷却ブロックの温度（冷却温度）、ヒートパイプ容器の傾きにより決定される。
本実施の形態に拠れば、平衡状態に達した後であれば、ヒートパイプ容器内の作動流体の総量は略一定であるので、冷却時間に関係なく所定の量だけ、作動流体をヒートパイプ容器内に封入することができる。
【００３６】
このとき平衡状態となるまでの時間のばらつきを考慮して冷却時間を決定することで、安定して平衡状態を得ることができ、作動流体３を所望の量だけ、ヒートパイプ容器１内に封入し密閉することができる。
つまり、本実施の形態に拠れば、第１の実施の形態と同様の効果が得られると共に、シビアな冷却時間を設定することなく、ヒートパイプ容器１内に所望の量の作動流体３を封入することができる。
【００３７】
次に、第３の実施の形態について説明する。図３は、第３の実施の形態における第３工程を示す。
第３の実施の形態は、第２の実施の形態と同様に、ヒートパイプ容器の一端部が、ヒートパイプ容器の他端部に対して重力方向の低位置に配置される。本実施の形態では、ヒートパイプ容器２１に接合部品として、他端部２９側に放熱フィン３２、一端部２８側に受熱ブロック３３を接合して取り付けた形態を説明する。また、ヒートパイプ容器２１は、その胴部に折曲部（クランク状の曲げ加工部）を有している。
【００３８】
本実施の形態においても、第１工程では他の実施の形態と同様に、ノズル４から噴出される蒸気２を通過させて、ヒートパイプ容器２１内から空気（非凝縮性ガス）を排出する。このとき、ノズル４からの噴出圧力が十分に大きいので、ヒートパイプ容器２１の曲げ加工によらず、空気を追い出すことができる。また第２工程では、他の実施の形態と同様に他端部２９を封止するとよい。
【００３９】
ここで第３の実施の形態における第３工程を、図３を用いて説明する。
第２の実施の形態と同様に、ノズル４が取り付けられた一端部２８が、封止された他端部２９よりも下方に位置するため、ヒートパイプ容器２１内で凝縮された作動流体３は一端部２８から所定の流量ずつ流出する（矢印３０）。ただし、この間もノズル４からは作動流体の蒸気２が供給され続ける（矢印４０）と共に、ヒートパイプ容器２１内においても作動流体の蒸気の凝縮は行われる。これにより、ノズル４からの蒸気２の注入（矢印４０）と、一端部２８からの作動流体３の流出（矢印３０）とが平衡状態に達する。
本実施の形態では、他端部２９側に設けられた冷却フィン３２に冷却風３４を当てることでヒートパイプ容器２１を冷却し、ヒートパイプ容器２１内の蒸気２を凝縮する構成とした。
【００４０】
第２の実施の形態と同様に、ヒートパイプ容器２１内に封入される作動流体の総量は、冷却フィンに供給される冷却風３４の温度や風量、ヒートパイプ容器２１の傾きを制御することにより決定され、平衡状態に達した後であれば、冷却時間に関係なくヒートパイプ容器２１内に所望の量の作動流体３を封入することができる。
【００４１】
図３では、冷却フィン３２に冷却風３４を供給してヒートパイプ容器２１を冷却する構成を説明したが、水など液体を供給することで冷却しても良い。またヒートパイプ容器の形状は、扁平加工や他の加工が施されたものでもよい。取り付けられる部材として、放熱フィン、受熱ブロックを説明したが、これに限定されるものではない。
【００４２】
次に、第４の実施の形態について説明をする。図４は、第４の実施の形態における第３工程を示すものである。
まず本実施の形態は、他の実施の形態と異なり、４つの開放端を有するヒートパイプ容器３１を用い、１つの一端部３８にノズル４を取り付けて蒸気２を供給すると共に、３つの他端部３９から蒸気２と共にヒートパイプ内に残存する空気（非凝縮性ガス）を排出している。他の構成においては、他の実施の形態と同様である。
【００４３】
具体的には、４つの開口端を有するヒートパイプ容器の一端部３８（図４左側）から作動流体の蒸気２を供給し、３つの他端部３９から空気を追い出す。ヒートパイプ容器３１内から空気を追い出したら、３つの他端部３９を封止する。本実施の形態では、蒸気２が供給される一端部３８から遠い側（図４右側）の他端部３９から、順次カシメ封止を行った。その後、１つの他端部３９を冷却ブロック６により冷却することで、蒸気２を凝縮させ作動流体３を溜める構成とした。
【００４４】
図４では、第１の実施の形態と同様の冷却、凝縮方式を採用しているが、これに限定されるものではなく、傾きを与えることで、第２、３の実施の形態と同様の方式としてもよい。また、予め接合部材を設ける構成としてもよく、冷却風を供給することにより冷却してもよい。
【００４５】
さらに、本実施の形態では、蒸気を１つの開放端から供給したが、ヒートパイプの形状によっては複数端から供給してもよく、冷却する工程においても、複数個所を冷却する構成としてもよい。
【００４６】
このように、上述した実施の形態を用いることで、沸騰方式や真空方式のようにヒートパイプの形状に合わせた専用の加熱部材を必要とせず、少量多品種への対応が容易である。また、ヒートパイプ容器内に封入する作動流体の量を容易に調整できる。
【００４７】
従来の真空方式は、加熱をせず真空引きだけで行うこともできるが、容器内に非凝縮性ガスが残存しヒートパイプとしての性能が落ちる問題がある。また従来の方法では、加熱部材を用いずにオイルバスにより加熱する方式もあるが、ヒートパイプ製造後にオイルを除去する洗浄工程を設ける必要があり、製造コストの増加につながる問題がある。
【００４８】
蒸気注入方式では、蒸気ノズルを容器内底部まで挿入する必要があるため、容器に加工が施されている場合には採用できなかったり、専用のノズル等が必要となったりした。さらに、蒸気ノズルが容器内底部にまで十分に届いてない場合は、容器内の空気を完全に追い出すことができなかった。
【００４９】
本発明に拠れば、従来の問題点を解決すると共に、簡易な方法で所望の品質を満たすヒートパイプを製造することができる。
【００５０】
以上、本発明の実施の形態を説明したが、上述した実施の形態は特許請求の範囲を限定するものではない。また、実施の形態の中で説明した特徴の組合せの全てが発明の課題を解決するための手段に必須であるとは限らない点に留意すべきである。
【００５１】
例えば、ヒートパイプ容器の形状は上述した実施の形態に限定されるものではなく、F形状やH形状、S字形状、又は、その他３次元的な立体形状であっても、容易にヒートパイプを製造することができる。
【図面の簡単な説明】
【００５２】
【図１】（ａ）は、第１の実施の形態に係るヒートパイプの製造方法の、第１工程を示す図である。（ｂ）は、第１の実施の形態に係るヒートパイプの製造方法の、第２工程を示す図である。（ｃ）は、第１の実施の形態に係るヒートパイプの製造方法の、第３工程を示す図である。（ｄ）は、第１の実施の形態に係るヒートパイプの製造方法の、第４工程を示す図である。
【図２】第２の実施の形態に係るヒートパイプの製造方法の、第３工程を示す図である。
【図３】第３の実施の形態に係るヒートパイプの製造方法の、第３工程を示す図である。
【図４】第４の実施の形態に係るヒートパイプの製造方法の、第３工程を示す図である。
【符号の説明】
【００５３】
１、２１、３１  ヒートパイプ容器
２  蒸気
３  作動流体
４  ノズル
５  封止部
６  冷却ブロック
７  カシメ封止部
８、２８、３８  一端部
９、２９、３９  他端部
１０、３０  容器内の作動流体流れ方向
２０、４０  容器内の蒸気流れ方向
３２  放熱フィン
３３  受熱ブロック
３４  冷却風
【図１】
0005123703.tif 000002
【図２】
0005123703.tif 000003
【図３】
0005123703.tif 000004
【図４】
0005123703.tif 000005